【事件の表示】
　特願２００３−　２２０２４「電気光学装置、その駆動方法、及び電子機器」拒絶査定不服審判事件〔平成１６年　１月２９日出願公開、特開２００４−　２９７１４〕について、次のとおり審決する。
【結　論】
　本件審判の請求は、成り立たない。
【理　由】
１　手続の経緯
　本件は、平成１５年１月３０日（優先権主張　平成１４年２月１日）の出願であって、平成１９年７月３０日付け（平成１９年８月７日発送）で拒絶査定がされたところ、これに対して、平成１９年９月５日に拒絶査定不服審判が請求されるとともに、同年９月２６日付けで明細書を補正対象とする手続補正書が提出されたものである。
　
２　平成１９年９月２６日付け手続補正についての補正却下の決定
　
［補正却下の決定の結論］
　平成１９年９月２６日付けの手続補正を却下する。
　
［理由］
（１）補正の内容
　平成１９年９月２６日提出の手続補正（以下、「本件補正」という。）により、補正前の特許請求の範囲のうち請求項１を引用する請求項２の記載、
「【請求項１】　複数の走査線と、複数の信号線と、前記複数の走査線と前記複数の信号線との交差部に対応して配設された複数の電気光学素子とを備え、前記複数の電気光学素子に供給する駆動電流量に応じて動作する電気光学装置であって、
　前記複数の電気光学素子の少なくとも１つの電気光学素子の輝度を検出し、輝度検出結果を出力する輝度検出部と、
　前記輝度検出部で得られた前記輝度検出結果を第１のデジタル信号に変換するアナログーデジタル変換器と、
　前記第１のデジタル信号に基づいて調整された第２のデジタル信号を出力する制御回路と、
　前記第２のデジタル信号をアナログ信号に変換するデジタルーアナログ変換器と、
　前記アナログ信号に基づき前記駆動電流量を調整する駆動電流量調整部と、
　を備えることを特徴とする電気光学装置。
【請求項２】　前記制御回路は、
　輝度テーブルと、
　前記第１のデジタル信号が入力され、第３のデジタル信号を出力する比較器と、
　出力電圧テーブルと、
　前記第３のデジタル信号が入力され、前記第２のデジタル信号を出力するセレクタとを備え、
　前記比較器は、前記第１のデジタル信号を、前記輝度テーブルに基づいて補正して調整された前記第３のデジタル信号を前記セレクタに出力し、
　前記セレクタは、前記第３のデジタル信号と前記出力電圧テーブルとの比較結果に基づいて調整された前記第２のデジタル信号を、前記デジタルーアナログ変換器に出力することを特徴とする請求項１に記載の電気光学装置。」
　を、
「【請求項１】
　複数の走査線と、複数の信号線と、前記複数の走査線と前記複数の信号線との交差部に対応して配設された複数の電気光学素子とを備え、前記複数の電気光学素子に供給する駆動電流量に応じて動作する電気光学装置であって、
　前記複数の電気光学素子の少なくとも１つの電気光学素子の輝度を検出し、輝度検出結果を出力する輝度検出部と、
　前記輝度検出部で得られた前記輝度検出結果を第１のデジタル信号に変換するアナログ−デジタル変換器と、
　前記第１のデジタル信号に基づいて調整された第２のデジタル信号を出力する制御回路と、
　前記第２のデジタル信号をアナログ信号に変換する第１のデジタル−アナログ変換器と、
　デジタルデータをアナログ変換する第２のデジタル−アナログ変換器を含み、前記電気光学素子にアナログデータを供給するドライバと、
　前記アナログ信号に基づき前記駆動電流量を調整する駆動電流量調整部と、を備え、
　前記制御回路は、輝度テーブルと、前記第１のデジタル信号が入力され、第３のデジタル信号を出力する比較器と、出力電圧テーブルと、前記第３のデジタル信号が入力され、前記第２のデジタル信号を出力するセレクタとを備え、
　前記比較器は、前記第１のデジタル信号を、前記輝度テーブルに基づいて補正して調整された前記第３のデジタル信号を前記セレクタに出力し、
　前記セレクタは、前記第３のデジタル信号と前記出力電圧テーブルとの比較結果に基づいて調整された前記第２のデジタル信号を、前記第１のデジタル−アナログ変換器に出力し、
　前記第１のデジタル−アナログ変換器は、前記第２のデジタル信号をアナログ信号に変換して基準電圧を生成し前記ドライバに出力し、
　前記ドライバでは、前記アナログ信号に変換して生成された基準電圧を、前記ドライバに含まれる第２のデジタル−アナログ変換器の基準電圧として設定し、該基準電圧に基づき前記駆動電流量調整部は、前記駆動電流量を調整することを特徴とする電気光学装置。」
　と補正する内容を含むものである。
　
（２）補正の適否の検討−１
　そこで、本件補正後の請求項１に係る発明と、本件補正前の請求項１を引用する請求項２に係る発明とを比較すると、本件補正は、以下の補正内容からなるものである。
（ア）「第２のデジタル信号をアナログ信号に変換するデジタル−アナログ変換器」を「第２のデジタル信号をアナログ信号に変換する第１のデジタル−アナログ変換器」と限定する補正。
　
（イ）「デジタルデータをアナログ変換する第２のデジタル−アナログ変換器を含み、前記電気光学素子にアナログデータを供給するドライバ」を追加する補正。
　
（ウ）制御回路を、「前記制御回路は、輝度テーブルと、前記第１のデジタル信号が入力され、第３のデジタル信号を出力する比較器と、出力電圧テーブルと、前記第３のデジタル信号が入力され、前記第２のデジタル信号を出力するセレクタとを備え、　前記比較器は、前記第１のデジタル信号を、前記輝度テーブルに基づいて補正して調整された前記第３のデジタル信号を前記セレクタに出力し、　前記セレクタは、前記第３のデジタル信号と前記出力電圧テーブルとの比較結果に基づいて調整された前記第２のデジタル信号を、前記第１のデジタル−アナログ変換器に出力し」と限定する補正。
　
（エ）第１のデジタル−アナログ変換器に関して、「前記第１のデジタル−アナログ変換器は、前記第２のデジタル信号をアナログ信号に変換して基準電圧を生成し前記ドライバに出力し」と追加する補正。
　
（オ）「前記ドライバでは、前記アナログ信号に変換して生成された基準電圧を、前記ドライバに含まれる第２のデジタル−アナログ変換器の基準電圧として設定し、該基準電圧に基づき前記駆動電流量調整部は、前記駆動電流量を調整する」を追加する補正。
　
　本件補正により追加された上記補正内容（イ）の「デジタルデータをアナログ変換する第２のデジタル−アナログ変換器を含み、前記電気光学素子にアナログデータを供給するドライバ」、（エ）の「前記第１のデジタル−アナログ変換器は、前記第２のデジタル信号をアナログ信号に変換して基準電圧を生成し前記ドライバに出力し」、及び、（オ）の「前記ドライバでは、前記アナログ信号に変換して生成された基準電圧を、前記ドライバに含まれる第２のデジタル−アナログ変換器の基準電圧として設定し、該基準電圧に基づき前記駆動電流量調整部は、前記駆動電流量を調整する」との事項を追加する補正は、特許請求の範囲の減縮を目的とする補正ではある。
　しかしながら、上記補正（イ）、（エ）、及び（オ）は、電気光学装置において、電気光学素子を駆動するための構成として、本件補正前の請求項に記載された「駆動電流量調整部」に加えて、本件補正前に請求項に記載されていない「デジタルデータをアナログ変換する第２のデジタル−アナログ変換器を含み、前記電気光学素子にアナログデータを供給するドライバ」との発明特定事項を外的に付加する補正であるから、補正前の請求項２における「発明を特定するための事項」の一つ以上を、概念的により下位の「発明を特定するための事項」とする補正であるとはいえない。よって、上記補正は、発明特定事項の限定とはいえない。
　したがって、本件補正は、特許請求の範囲の限定的減縮を目的とするものに該当しない。また、請求項の削除を目的とするもの、誤記の訂正を目的とするもの、明りょうでない記載の釈明を目的とするものにも、明らかに該当しない。
　
　よって、上記補正は、平成１８年改正前特許法第１７条の２第４項第１号の請求項の削除、第２号の特許請求の範囲の減縮、第３号の誤記の訂正、第４号の明りょうでない記載の釈明、のいずれを目的とする補正ともいえない。
　
（３）補正の適否の検討−２
　しかしながら、仮に、上記補正内容（ア）〜（オ）に関する補正が特許請求の範囲の減縮を目的として認められる場合、上記補正は、平成１８年改正前特許法第１７条の２第４項第２号の、特許請求の範囲の減縮を目的とするものに該当することになる。 
 　 
 　そこで、補足的に、本件補正後の請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。
　
　請求項１における「・・・前記複数の電気光学素子に供給する駆動電流量に応じて動作する電気光学装置であって、・・・デジタルデータをアナログ変換する第２のデジタル−アナログ変換器を含み、前記電気光学素子にアナログデータを供給するドライバと、　前記アナログ信号に基づき前記駆動電流量を調整する駆動電流量調整部と、を備え、・・・・・、前記ドライバでは、前記アナログ信号に変換して生成された基準電圧を、前記ドライバに含まれる第２のデジタル−アナログ変換器の基準電圧として設定し、該基準電圧に基づき前記駆動電流量調整部は、前記駆動電流量を調整する」との記載からするに、
（ア）「ドライバ」と「駆動電流量調整部」は、電気光学装置を構成する発明特定事項として、一方が他方を包含するような上下関係にある構成としては記載されていない。よって、物理的に独立した対等な関係の発明特定事項であると考えられ、してみると、電気光学素子を、ドライバ及び駆動電流調整部が各々独立に駆動する構成となるが、そのような構成は発明の詳細な説明には記載されていない。
（イ）同様に「アナログデータ」と「駆動電流量」は、電気光学装置を構成する構成要素として、一方が他方を包含するような上下関係にある構成としては記載されていない。よって、物理的に独立した対等な関係の構成要素であると考えられ、してみると、電気光学素子に、アナログデータ及び駆動電流量が各々独立に供給されている構成となるが、そのような構成は発明の詳細な説明には記載されていない。
（ウ）第２のデジタル−アナログ変換器に設定された基準電圧に基づき、如何にして駆動電流量調整部は駆動電流量を調整しているのか技術的に不明であると共に、調整された駆動電流量とアナログデータとの技術的な関係も不明である。
　
　したがって、本願補正発明は、発明の詳細な説明に記載されたものではなく、又、明確であるともいえない。
　よって、本件補正後の請求項１の記載は、特許法第３６条第６項第１号、第２号に規定する要件を満たすものとはいえず、本件補正後の請求項１に係る発明は、特許出願の際独立して特許を受けることができない。
　
（４）補正の適否の検討−３
　しかしながら、仮に、上記指摘事項（ア）ないし（ウ）に関する事項が発明の詳細な説明に記載されたものであり、又、明確であると認められる場合、上記補正は、特許法第３６条第６項第１号、第２号に規定する要件を満たすものとなり、且つ、平成１８年改正前特許法第１７条の２第４項第２号の、特許請求の範囲の減縮を目的とするものに該当することになる。 
　
 　そこで、さらに、本願補正発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。
　
　なお、本願補正発明が特許出願の際独立して特許を受けることができるものであるか検討するに当たって、「（３）補正の適否の検討−２　（ア）〜（ウ）」に関して、発明の詳細な説明の記載を参酌し、「駆動電流量調整部」は「ドライバ」内の一構成要素であり、また、「アナログデータ」と「駆動電流量」は同一の構成要素であり、駆動電流量は第２のデジタル−アナログ変換器に設定された基準電圧の調整結果に基づき結果として駆動電流量が調整されるものであるとして、以下の検討を行う。
　
（４−１）引用例に記載された発明
　原査定の拒絶の理由で引用され、本願の優先権主張の日前に頒布された刊行物である特開２００１−２６５２８３号公報（以下、「引用例１」という。）には、図面とともに、次の事項が記載されている。
（ア）「【００１７】
【課題を解決するための手段】本発明の発光装置は、発光装置の画像を表示する部分（表示部）の輝度を検知して、該輝度を所望の値に補正するためのセンサ部を有する。センサ部は１つ又は複数の画素を有している。なお以下、本明細書において、センサ部が有する画素をセンサ用画素と呼ぶ。
【００１８】センサ用画素は、発光素子と、該発光素子の輝度の変化量を検知する受光ダイオードとを有する。なお以下、本明細書において、センサ用画素が有する発光素子をセンサ用発光素子と呼ぶ。」
　
（イ）「【００３２】表示部１０１及びセンサ部１０６の詳しい回路図を図２に示す。表示部１０１はソース信号線（Ｓ１〜Ｓｘ）、電源供給線（Ｖ１〜Ｖｘ）、ゲート信号線（Ｇ１〜Ｇｙ）が設けられている。なお本実施の形態では、センサ部１０６と表示部１０１とを同じ基板上に設けているが、本発明はこれに限定されない。センサ部と表示部を異なる基板上に設け、ＦＰＣ等で接続する構成にしても良い。
【００３３】表示部１０１は複数の表示用画素１０５を有している。表示用画素１０５は、ソース信号線（Ｓ１〜Ｓｘ）のいずれか１つと、電源供給線（Ｖ１〜Ｖｘ）のいずれか１つと、ゲート信号線（Ｇ１〜Ｇｙ）のいずれか１つとを有している。そして表示用画素１０５は、Ｒの表示を行う表示用画素と、Ｇの表示を行う表示用画素と、Ｂの表示を行う表示用画素とがある。
【００３４】Ｒの表示を行う表示用画素のうち、任意に選ばれた表示用画素（ｐ、ｑ）はソース信号線Ｓｐ（ｐは１〜ｘの任意の数）、電源供給線Ｖｐ、ゲート信号線Ｇｑ（ｑは１〜ｙの任意の数）を含んでいる。そしてＲセンサ用画素１０４ａは、Ｒの表示を行う表示用画素（ｐ、ｑ）と同じく、ソース信号線Ｓｐ、電源供給線Ｖｐ、ゲート信号線Ｇｑを含んでいる。
【００３５】また図示しないが、Ｇセンサ用画素１０４ｂも同様に、任意に選ばれたＧの表示を行う表示用画素が含んでいるのと同じソース信号線、電源供給線、ゲート信号線を含んでいる。そして同じく図示しないが、Ｂセンサ用画素１０４ｃも同様に、任意に選ばれたＢの表示を行う表示用画素が含んでいるのと同じソース信号線、電源供給線、ゲート信号線を含んでいる。
【００３６】図３にセンサ用画素１０４ａ〜１０４ｃの詳しい構成を示す。点線で囲まれた領域がセンサ用画素１０４である。センサ用画素１０４はソース信号線Ｓ（Ｓ１〜Ｓｘのいずれか１つ）、電源供給線Ｖ（Ｖ１〜Ｖｘのいずれか１つ）、ゲート信号線Ｇ（Ｇ１〜Ｇｙのいずれか１つ）を含んでいる。
【００３７】またセンサ用画素１０４（１０４ａ〜ｃ）はスイッチング用ＴＦＴ１３０、電流制御用ＴＦＴ１３１、センサ用発光素子１３２を有している。また図３ではコンデンサ１３３を有しているが、コンデンサ１３３を設けない構成にしても良い。」
　
（ウ）「【００８８】次にセンサ部１０６において、受光ダイオード１３６がセンサ用発光素子１３２の輝度を検知する仕組みについて説明する。
【００８９】センサ用画素１０４が有するリセット用ＴＦＴ１３４とバッファ用ＴＦＴ１３５は、どちらか一方がｎチャネル型ＴＦＴで、残りの一方がｐチャネル型ＴＦＴであることが望ましい。
【００９０】まずリセット信号線ＲＬに入力されたリセット信号によって、リセット用ＴＦＴ１３４がオンの状態になる。よってセンサ用電源線ＶＢの基準電位がバッファ用ＴＦＴ１３５のゲート電極に与えられる。そしてバッファ用ＴＦＴ１３５のソース領域はセンサ出力配線ＦＬを介して定電流電源に接続されており、バッファ用ＴＦＴ１３５のソース領域とゲート電極の電位差ＶGSは常に一定である。よってバッファ用ＴＦＴ１３５のソース領域は、基準電位からＶGSを差し引いた電位に保たれる。なお本明細書では、リセット用ＴＦＴ１３４がオンの状態である期間をリセット期間と呼ぶ。
【００９１】次にリセット信号線ＲＬに入力されたリセット信号の電位が変化して、リセット用ＴＦＴ１３４がオフの状態になる。よってセンサ用電源線ＶＢの基準電位は、バッファ用ＴＦＴ１３５のゲート電極に与えられない。なお、リセット用ＴＦＴ１３４がオフの状態にある期間を、本明細書ではサンプル期間と呼ぶ。
【００９２】デジタル方式で駆動する発光装置の場合、サンプル期間はアドレス期間Ｔａよりも長く、なおかつ発光素子１３２が発光しているサステイン期間Ｔｓと重なっている。
【００９３】受光ダイオード１３６にセンサ用発光素子１３２の光が照射されることで、受光ダイオード１３６に電流が流れる。そのため、リセット期間において一定だったバッファ用ＴＦＴ１３５のゲート電極の電位は、サンプル期間において変化し、その電位の変化の大きさは受光ダイオード１３６に流れる電流の大きさによって変わる。
【００９４】受光ダイオード１３６に流れる電流は、受光ダイオード１３６に照射される光の強さに比例する。つまりセンサ用発光素子１３２の輝度が高いときと低いときとでは、輝度の高いときの方が、受光ダイオード１３６により大きな電流が流れることになる。よって、センサ用発光素子１３２の輝度が高いときの方が、輝度の低いときに比べて、バッファ用ＴＦＴ１３５のゲート電極の電位は大きく変化する。
【００９５】バッファ用ＴＦＴ１３５のソース領域とゲート電極の電位差ＶGSは常に一定であるので、バッファ用ＴＦＴ１３５のソース領域は、バッファ用ＴＦＴ１３５のゲート電極の電位からＶGSを差し引いた電位に保たれる。そのためバッファ用ＴＦＴ１３５のゲート電極の電位が変化すると、それに伴ってバッファ用ＴＦＴ１３５のソース領域の電位も変化する。
【００９６】バッファ用ＴＦＴ１３５のソース領域の電位はセンサ出力配線ＦＬに与えられ、センサ出力信号として補正回路に入力される。」
　
（エ）「【０１２５】次に本発明の発光装置をアナログ方式で駆動させた場合のタイミングチャートを図８に示す。１つのゲート信号線がゲート信号によって選択されてから、その次に別のゲート信号線が選択されるまでの期間を１ライン期間（Ｌ）と呼ぶ。また１つの画像が表示されてから次の画像が表示されるまでの期間が１フレーム期間（Ｆ）に相当する。ゲート信号線がｙ本ある場合、１フレーム期間中にｙ個のライン期間（Ｌ１〜Ｌｙ）が設けられる。
【０１２６】まず電源供給線（Ｖ１〜Ｖｘ）は所定の電源電位に保たれている。そして対向電極の電位も所定の電位に保たれている。対向電極の電位は、電源電位が画素電極に与えられたとき発光素子が発光する程度に、電源電位との間に電位差を有している。
【０１２７】第１のライン期間（Ｌ１）においてゲート信号線Ｇ１にはゲート信号線駆動回路３０３から選択信号が入力される。そして、ソース信号線（Ｓ１〜Ｓｘ）に順にサンプリングされたアナログビデオ信号が入力される。ゲート信号線Ｇ１に接続された全てのスイッチング用ＴＦＴは選択信号によってオンの状態になるので、ソース信号線に入力されたアナログビデオ信号は、スイッチング用ＴＦＴを介して電流制御用ＴＦＴのゲート電極に入力される。
【０１２８】電流制御用ＴＦＴのチャネル形成領域を流れる電流の量は、そのゲート電極に入力される信号の電位の高さ（電圧）によって制御される。よって、発光素子の画素電極の電位の高さは、電流制御用ＴＦＴのゲート電極に入力されたアナログビデオ信号の電位の高さによって決まる。そして発光素子はアナログビデオ信号の電位に制御されて発光する。
【０１２９】上述した動作を繰り返し、にソース信号線（Ｓ１〜Ｓｘ）へのアナログビデオ信号の入力が終了すると、第１のライン期間（Ｌ１）が終了する。なお、ソース信号線（Ｓ１〜Ｓｘ）へのアナログビデオ信号の入力が終了するまでの期間と水平帰線期間とを合わせて１つのライン期間としても良い。そして次に第２のライン期間（Ｌ２）となりゲート信号線Ｇ２に選択信号が入力される。そして第１のライン期間（Ｌ１）と同様にソース信号線（Ｓ１〜Ｓｘ）に順にアナログビデオ信号が入力される。
【０１３０】そして全てのゲート信号線（Ｇ１〜Ｇｙ）に選択信号が入力されると、全てのライン期間（Ｌ１〜Ｌｙ）が終了する。全てのライン期間（Ｌ１〜Ｌｙ）が終了すると、１フレーム期間が終了する。１フレーム期間中において全ての画素が表示を行い、１つの画像が形成される。なお全てのライン期間（Ｌ１〜Ｌｙ）と垂直帰線期間とを合わせて１フレーム期間としても良い。
【０１３１】以上のように、ソース信号線に入力されるアナログビデオ信号の電位によって発光素子の輝度が制御され、その輝度の制御によって階調表示がなされる。
【０１３２】次に、センサ部３０６から出力されるセンサ出力信号によって、表示用発光素子及びセンサ用発光素子の輝度がどのように補正されるかについて、図９を用いて説明する。なお、図７に示したセンサ用画素において、受光ダイオードがセンサ用発光素子の輝度を検知し、センサ出力信号がセンサ出力配線に入力されるまでの過程は、実施の形態で示したデジタル駆動の発光装置の場合と同じなので、説明は省略する。
【０１３３】サンプル期間において、受光ダイオードで検知されたセンサ用発光素子の輝度の情報を有するセンサ出力信号は、センサ出力配線ＦＬを介してビデオ信号補正回路に入力される。」
　
（オ）「【０１３４】図９にビデオ信号補正回路４０１のブロック図を示す。ビデオ信号補正回路４０１は表示部３０１又はセンサ部３０６と同じ基板上に設けても良く、またＩＣチップ上に設けてＦＰＣ等によりセンサ部３０６と接続していても良い。
【０１３５】ビデオ信号補正回路４０１はＡ／Ｄ変換回路４０２、演算回路４０３、補正メモリ４０４、Ｄ／Ａ変換回路４０５を有している。なお、図９には補正メモリ４０４が演算回路４０３の一部である場合の構成を示したが、補正メモリ４０４が演算回路４０３と別個に設けられていても良い。
【０１３６】シグナルジェネレータ４０６はデジタルの画像情報を有する信号（デジタルビデオ信号）を生成し、演算回路４０３に入力している。なお、シグナルジェネレータ４０６から出力される画像情報を有する信号（ビデオ信号）がアナログだった場合、Ａ／Ｄ変換回路によってデジタルのビデオ信号に変換してから、演算回路４０３に入力するようにする。
【０１３７】センサ出力配線ＦＬからセンサ出力信号がＡ／Ｄ変換回路４０２に入力され、デジタルのセンサ出力信号に変換されて出力される。Ａ／Ｄ変換回路４０２から出力されたデジタルのセンサ出力信号は、演算回路４０３に入力される。
【０１３８】補正メモリ４０４には、表示用発光素子及びセンサ用発光素子が理想の輝度を有しているときに、演算回路４０３に入力されるデジタルのセンサ出力信号のデータ（補正基準データ）が記憶されている。
【０１３９】演算回路４０３は、実際に演算回路４０３に入力されたデジタルのセンサ出力信号と、補正メモリ４０４に記憶されている補正基準データとを比較する。そして比較した実際のセンサ出力信号と補正基準データとの差をもとに、シグナルジェネレータ４０６から演算回路４０３に入力されたデジタルビデオ信号を補正する。なおこの時、補正後のデジタルビデオ信号は、アナログに変換された際に表示用発光素子及びセンサ用発光素子が理想の輝度を得るために必要な電位を有していることが重要である。
【０１４０】なお演算回路４０３には、各色に対応したセンサ出力信号が入力されている。例えば本実施例の場合、Ｒセンサ用画素３０４ａと、Ｇセンサ用画素３０４ｂと、Ｂセンサ用画素３０４ｃとからそれぞれ出力されている３つのセンサ出力信号が、演算回路４０３に入力されている。演算回路４０３では、各色に対応する画素（表示用画素及びセンサ用画素）に所望の高さの電位を有するアナログビデオ信号がサンプリングされて入力されるように、デジタルビデオ信号を補正する。
【０１４１】次に演算回路４０３から、補正後のデジタルビデオ信号がＤ／Ａ変換回路４０５に入力する。Ｄ／Ａ変換回路４０５に入力された補正後のデジタルビデオ信号は、アナログに変換され、アナログビデオ信号としてソース信号線駆動回路３０２のサンプリング回路３０２ｃに入力される。アナログビデオ信号は、表示用発光素子及びセンサ用発光素子が理想の輝度を得るために必要な電位を有している。
【０１４２】本発明は上記構成によって、発光装置において有機化合物層が劣化しても、表示用発光素子及びセンサ用発光素子が理想の輝度を有することができ、鮮明で所望のカラー表示を行うことが可能になる。
【０１４３】なお本実施の形態では、センサ部はＲＧＢそれぞれの色に対応したセンサ用画素を１つづつ有していたが、本発明はこれに限定されない。各色に対応したセンサ用画素は複数存在していても良い。
【０１４４】また本実施例のアナログ駆動の発光装置では、表示部に入力されるアナログビデオ信号の電位をビデオ信号補正回路において補正することで、発光素子の輝度を補正している。しかし本発明はこれに限定されない。ビデオ信号補正回路においてアナログビデオ信号の電位を補正するのに加えて、デジタル駆動の発光装置と同様に、電源電位を補正する補正回路を設けても良い。」
　
　上記摘記事項（ア）における「またセンサ用画素１０４（１０４ａ〜ｃ）はスイッチング用ＴＦＴ１３０、電流制御用ＴＦＴ１３１、センサ用発光素子１３２を有している。」、及び、上記摘記事項（オ）における「各色に対応したセンサ用画素は複数存在していても良い。」等との記載からするに、各色に対応したセンサ用発光素子を水平方向又は垂直方向に複数設けた構成が実質的に示されている。してみると、垂直方向に各色に対応したセンサ用発光素子を複数設けた際には、複数のゲート信号線に対応してセンサ用発光素子が複数設けられた構成となることは、技術的に明白である。
　よって上記摘記事項（ア）及び（イ）、（オ）並びに図２から、複数のゲート信号線と、複数のソース信号線と、前記複数のゲート信号線と前記複数のソース信号線との交差部に対応して設けられた複数のセンサ用発光素子とを備えた発光装置を、読み取ることができる。
　
　上記摘記事項（エ）から、複数のセンサ用発光素子に供給される電流の量に応じて動作する発光装置を、読み取ることができる。
　
　上記摘記事項（ウ）から、複数のセンサ用発光素子の輝度を検知し、輝度の検知結果を出力するための回路を、読み取ることができる。
　
　上記摘記事項（ウ）ないし（オ）から、輝度の検知結果を出力するための回路から出力された輝度検知結果をデジタルのセンサ出力信号に変換するＡ／Ｄ変換回路を、読み取ることができる。
　
　上記摘記事項（オ）から、デジタルのセンサ出力信号と補正基準データとの差をもとにシグナルジェネレータから入力されたデジタルビデオ信号を補正し出力する演算回路を、読み取ることができる。
　
　上記摘記事項（オ）から、補正後のデジタルビデオ信号をアナログ変換するＤ／Ａ変換回路と、センサ用発光素子にアナログデータを供給するためのサンプリング回路とからなるソース信号線を駆動するための回路を、読み取ることができる。
　
　上記摘記事項（オ）及び当該技術分野の技術常識から、演算回路は、補正メモリに記憶されている補正基準データと、デジタルのセンサ出力信号とが入力され、それらの比較結果を出力する回路と、該比較結果に基づきシグナルジェネレータから入力されたデジタルビデオ信号を補正することを、読み取ることができる。
　
　上記摘記事項（オ）及び当該技術分野の技術常識から、比較結果を出力する回路は、デジタルのセンサ出力信号を、補正メモリに記憶されている補正基準データに基づいて補正して調整された比較結果を出力することを、読み取ることができる。
　
　したがって、上記摘記事項（１）ないし（６）及び図面の記載からみて、引用例１には、以下の発明が記載されているものと認められる。　
「複数のゲート信号線と、複数のソース信号線と、前記複数のゲート信号線と前記複数のソース信号線との交差部に対応して設けられた複数のセンサ用発光素子とを備え、前記複数のセンサ用発光素子に供給される電流の量に応じて動作するた発光装置であって、
　前記複数のセンサ用発光素子の輝度を検知し、輝度の検知結果を出力するための回路と、
　前記輝度の検知結果を出力するための回路から出力された輝度検知結果をデジタルのセンサ出力信号に変換するＡ／Ｄ変換回路と、
　前記デジタルのセンサ出力信号と補正基準データとの差をもとにシグナルジェネレータから入力されたデジタルビデオ信号を補正し出力する演算回路と、
　補正後のデジタルビデオ信号をアナログ変換するＤ／Ａ変換回路と、センサ用発光素子にアナログデータを供給するためのサンプリング回路とからなるソース信号線を駆動するための回路と、
　前記演算回路は、補正メモリに記憶されている補正基準データと、デジタルのセンサ出力信号とが入力され、それらの比較結果を出力する回路と、該比較結果に基づきシグナルジェネレータから入力されたデジタルビデオ信号を補正してなる、発光装置。」（以下、「引用発明１」という。）
　
（４−２）対比
 　本願補正発明と引用発明１とを対比する。
（ア）引用発明１の「複数のゲート信号線」は、本願補正発明の「複数の走査線」に相当し、以下同様に、「複数のソース信号線」は「複数の信号線」に、「複数のセンサ用発光素子」は「複数の電気光学素子」に、「供給される電流の量」は「供給する駆動電流量」に、「発光装置」は「電気光学装置」に相当するから、引用発明１の「複数のゲート信号線と、複数のソース信号線と、前記複数のゲート信号線と前記複数のソース信号線との交差部に対応して設けられた複数のセンサ用発光素子とを備え、前記複数のセンサ用発光素子に供給される電流の量に応じて動作する発光装置であって」は、本願補正発明の「複数の走査線と、複数の信号線と、前記複数の走査線と前記複数の信号線との交差部に対応して配設された複数の電気光学素子とを備え、前記複数の電気光学素子に供給する駆動電流量に応じて動作する電気光学装置であって」に相当する。
（イ）引用発明１の「前記複数のセンサ用発光素子の輝度を検知し」は、本願補正発明の「前記複数の電気光学素子の少なくとも１つの電気光学素子の輝度を検出し」に相当し、同様に、「輝度の検知結果を出力するための回路」は「輝度検出結果を出力する輝度検出部」に相当するから、引用発明１の「前記複数のセンサ用発光素子の輝度を検知し、輝度の検知結果を出力するための回路」は、本願補正発明の「前記複数の電気光学素子の少なくとも１つの電気光学素子の輝度を検出し、輝度検出結果を出力する輝度検出部」に相当する。
（ウ）引用発明１の「デジタルのセンサ出力信号」は、本願補正発明の「第１のデジタル信号」に相当し、同様に、「Ａ／Ｄ変換回路」は「アナログーデジタル変換器」に相当するから、引用発明１の「前記輝度の検知結果を出力するための回路から出力された輝度の検知結果をデジタルのセンサ出力信号に変換するＡ／Ｄ変換回路」は、本願補正発明の「前記輝度検出部で得られた前記輝度検出結果を第１のデジタル信号に変換するアナログーデジタル変換器」に相当する。
（エ）調整されたデジタル信号を出力するとの限りにおいて、引用発明１の「前記デジタルのセンサ出力信号と補正基準データとの差をもとにシグナルジェネレータから入力されたデジタルビデオ信号を補正し出力する演算回路」と、本願補正発明の「前記第１のデジタル信号に基づいて調整された第２のデジタル信号を出力する制御回路」と一致する。
（オ）引用発明の１の「デジタルビデオ信号」は、本願補正発明の「デジタルデータ」に相当し、同様に、「Ｄ／Ａ変換回路」は「第２のデジタル−アナログ変換器」に相当するから、引用発明１の「前記デジタルのセンサ出力信号と補正基準データとの差をもとにシグナルジェネレータから入力されたデジタルビデオ信号を補正する演算回路と、補正後のデジタルビデオ信号をアナログ変換するＤ／Ａ変換回路と、センサ用発光素子にアナログデータを供給するためのサンプリング回路とからなるソース信号線を駆動するための回路」は、本願補正発明の「デジタルデータをアナログ変換する第２のデジタル−アナログ変換器を含み、前記電気光学素子にアナログデータを供給するドライバ」に相当する。
　
　したがって、本願補正発明と引用発明１の両者は、以下の一致点で一致し、以下の相違点で相違する。
　
＜一致点＞
「複数の走査線と、複数の信号線と、前記複数の走査線と前記複数の信号線との交差部に対応して配設された複数の電気光学素子とを備え、前記複数の電気光学素子に供給する駆動電流量に応じて動作する電気光学装置であって、
　前記複数の電気光学素子の少なくとも１つの電気光学素子の輝度を検出し、輝度検出結果を出力する輝度検出部と、
　前記輝度検出部で得られた前記輝度検出結果を第１のデジタル信号に変換するアナログ−デジタル変換器と、
　前記第１のデジタル信号に基づいて調整された第２のデジタル信号を出力する制御回路と、
　デジタルデータをアナログ変換する第２のデジタル−アナログ変換器を含み、前記電気光学素子にアナログデータを供給するドライバとを備えた電気光学装置。」
　
＜相違点１＞
　本願補正発明においては、「前記第２のデジタル信号をアナログ信号に変換する第１のデジタル−アナログ変換器」を備え、「前記第１のデジタル−アナログ変換器は、前記第２のデジタル信号をアナログ信号に変換して基準電圧を生成し前記ドライバに出力し」ているのに対して、引用発明では、そのように限定されていない点。
　
＜相違点２＞
　本願補正発明においては、「前記アナログ信号に基づき前記駆動電流量を調整する駆動電流量調整部」を備え、「基準電圧に基づき前記駆動電流量調整部は、前記駆動電流量を調整」しているのに対して、引用発明では、そのように限定されていない点。
　
＜相違点３＞
　本願補正発明において、制御回路は、「輝度テーブルと、前記第１のデジタル信号が入力され、第３のデジタル信号を出力する比較器と、出力電圧テーブルと、前記第３のデジタル信号が入力され、前記第２のデジタル信号を出力するセレクタとを備え、　前記比較器は、前記第１のデジタル信号を、前記輝度テーブルに基づいて補正して調整された前記第３のデジタル信号を前記セレクタに出力し、　前記セレクタは、前記第３のデジタル信号と前記出力電圧テーブルとの比較結果に基づいて調整された前記第２のデジタル信号を、前記第１のデジタル−アナログ変換器に出力し」ているのに対して、引用発明では、そのように限定されていない点。
　
＜相違点４＞
　本願補正発明において、ドライバは、「前記アナログ信号に変換して生成された基準電圧を、前記ドライバに含まれる第２のデジタル−アナログ変換器の基準電圧として設定し」ているのに対して、引用発明では、そのように限定されていない点。
　
（４−３）判断
　上記相違点１ないし４について検討する。
　原査定の拒絶の理由で引用され、本願の優先権主張の日前に頒布された刊行物である特開２０００−３２２０２２号公報（以下、「引用例２」という。）には、図面とともに、次の事項が記載されている。
　
（ア）「【００９７】列配線駆動部Ｐ１７は、列配線毎にＤＡＣ手段・加算器・バッファ部を備えている。ＤＡＣ部はＰ１６内ラッチ手段からの輝度データとリファレンス電圧（Ｖｒｅｆ）発生部Ｐ１９からの基準電位を受け図７に示すような入力データ−出力電圧特性を有する。図７から分かるようにＧＮＤレベルから基準電位Ｖｒｅｆまでの範囲を入力輝度データに応じてリニアに変化する特性である。ＤＡＣ部は、水平周期毎の図８Ｔ２０７のイネーブル信号ＤＡ  ＥＮＡ受けＰ１６から輝度データを読み込む期間ＤＡＣ出力を行わないように制御される。また加算手段は、図８Ｔ２０８のある列配線駆動出力波形例のように、ＤＡＣ部からの輝度信号に応じた電圧振幅を有する出力と、オフセット電圧発生部Ｐ１８からのオフセット電位Ｖｂを加算し、バッファを介して列配線を駆動する。」
　
（イ）「【０１０６】本実施形態に示されるリファレンス電圧（Ｖｒｅｆ）発生部Ｐ１９は出力基準電位Ｖｒｅｆを可変出来る制御部を持つことが可能である。Ｖｒｅｆを変化させることにより輝度信号に応じた素子印加電圧範囲を変えることができ、その結果パネルのピーク輝度を変化させることが可能になる。
【０１０７】さらに具体的には、この画像表示装置の使用者が操作できる明るさ調整部を別に設けてその明るさ調整部によりＶｒｅｆ電圧が制御できるように構成することにより、画像表示装置が置かれる周囲の明るさや使用者の好みに応じたピーク輝度の設定が可能となる。
【０１０８】また、入力映像信号の平均輝度検出部をさらに有し、入力輝度信号の平均レベルに応じてＶｒｅｆを制御する（入力映像信号の平均輝度レベルが高いときにＶｒｅｆを下げる）ことにより、入力映像信号の平均輝度レベルが高く消費電力が増大しそうなときに画像表示装置のピーク輝度を抑制することができる。
【０１０９】同様に、高圧電源Ｐ１０の電流検出部を設け、高圧電源の電流値に応じてＶｒｅｆを制御する（入力映像信号の平均輝度レベルが高い時、すなわち高圧電源の電流値が大きい時Ｖｒｅｆをさげる）ことにより、消費電力が増大する場合に画像表示装置のピーク輝度を抑制することができる。
【０１１０】また、入力信号の種類を判別する手段をさらに有し、入力信号の種類に応じてＶｒｅｆを制御する手段を備えることにより、例えばパーソナルコンピュータの映像など視距離が短い用途のときにピーク輝度を抑え、ＴＶ信号のように離れて見る場合にはピーク輝度を上げるなど好適なピーク輝度制御が出来る。」
　
　引用例１においては、演算回路が、実際に演算回路に入力されたデジタルのセンサ出力信号と、補正メモリに記憶されている補正基準データとを比較し、比較した実際のセンサ出力信号と補正基準データとの差をもとに、シグナルジェネレータから演算回路に入力されたデジタルビデオ信号を補正し、輝度の調整を行っているが、発光装置の輝度を調整する際に、デジタルビデオ信号を直接的に補正するのではなく、ＤＡＣ部（引用発明１の「Ｄ／Ａ変換回路」に相当する。）のリファレンス電圧を調整することにより、結果として出力されるアナログビデオ信号に補正をかけて輝度の調整を行う技術も、上記引用例２に示されているように周知の技術にすぎない。
　また、引用発明１においてＤ／Ａ変換回路のリファレンス電圧を調整する構成を採用した際には、引用例１の段落【０１０１】−【０１０２】及び【図６】の記載などを参酌するに、演算回路から、もう一つのＤ／Ａ変換回路を介してリファレンス電圧を調整するための信号が出力される構成となることは、技術的に明白である。
　さらに、引用発明１においては、デジタルのセンサ出力信号と、補正メモリに記憶されている補正基準データとの比較結果に基づき輝度を調整するためのデータを演算により求ているが、各種調整を施すためのデータを求める際に、比較結果に基づき、調整データが記憶されているテーブルにアクセスすることにより調整データを取得するような技術も、具体的な引用例を示すまでもなく周知の技術にすぎず、また、どちらの技術を採用するかは、実施時において当業者が適宜決定しうる単なる設計的事項にすぎない。
　よって、上記相違点１ないし４に係る本願発明の発明特定事項は、引用発明に上記周知の技術及び設計的事項を適用することにより当業者が容易に想到し得たものである。
　
　そして、本願補正発明１の奏する作用効果も、引用例１に記載された事項及び周知技術から当業者が予測可能な範囲内のものである。
　したがって、本願補正発明１は、引用発明及び周知技術に基づいて当業者が容易に発明をすることができたものである。
　
（５）むすび
　以上のとおり、本件補正が、平成１８年改正前特許法第１７条の２第４項各号に掲げる事項を目的とするものに該当しないので、平成１８年改正前特許法第１７条の２第４項の規定に違反し、同法第１５９条第１項において読み替えて準用する同法第５３条第１項の規定により却下すべきものである。（２　（２）「補正の適否の検討―１」の考察より。） 
　また仮に、本件補正が平成１８年改正前特許法第１７条の２第４項第２号に掲げる特許請求の範囲の減縮に該当すると認められたとしても、本願補正発明は、特許法第３６条第６項第１号、第２号に規定する要件を満たしておらず（２　（３）「補正の適否の検討―２」の考察より。）、さらに、本願補正発明は、特許法第２９条第２項の規定により（２　（４）「補正の適否の検討―３」の考察より。）、特許出願の際独立して特許を受けることができないものであるから、本件補正は、平成１８年法改正前特許法第１７条の２第５項において準用する同法第１２６条第５項の規定に違反するので、同法１５９条第１項において読み替えて準用する同法第５３条第１項の規定により却下すべきものである。
　
３　本願発明
　平成１９年９月２６日付けの手続補正は上記のとおり却下されたので、本願の請求項１ないし１３に係る発明は、平成１８年５月２９日付け手続補正書の特許請求の範囲の請求項１ないし１３に記載された事項により特定されるとおりのものと認められるところ、その請求項１に記載された発明（以下「本願発明」という。）は、次のとおりである。
「【請求項１】　複数の走査線と、複数の信号線と、前記複数の走査線と前記複数の信号線との交差部に対応して配設された複数の電気光学素子とを備え、前記複数の電気光学素子に供給する駆動電流量に応じて動作する電気光学装置であって、
　前記複数の電気光学素子の少なくとも１つの電気光学素子の輝度を検出し、輝度検出結果を出力する輝度検出部と、
　前記輝度検出部で得られた前記輝度検出結果を第１のデジタル信号に変換するアナログーデジタル変換器と、
　前記第１のデジタル信号に基づいて調整された第２のデジタル信号を出力する制御回路と、
　前記第２のデジタル信号をアナログ信号に変換するデジタルーアナログ変換器と、
　前記アナログ信号に基づき前記駆動電流量を調整する駆動電流量調整部と、
　を備えることを特徴とする電気光学装置。」（以下、「本願発明」という。）
　
４　引用例に記載された発明
　原査定の拒絶の理由で引用され、本願の優先権主張の日前に頒布された刊行物である引用例１には、図面とともに、次の事項が記載されている。
　
（１）「【００１７】
【課題を解決するための手段】本発明の発光装置は、発光装置の画像を表示する部分（表示部）の輝度を検知して、該輝度を所望の値に補正するためのセンサ部を有する。センサ部は１つ又は複数の画素を有している。なお以下、本明細書において、センサ部が有する画素をセンサ用画素と呼ぶ。
【００１８】センサ用画素は、発光素子と、該発光素子の輝度の変化量を検知する受光ダイオードとを有する。なお以下、本明細書において、センサ用画素が有する発光素子をセンサ用発光素子と呼ぶ。」
　
（２）「【００３２】表示部１０１及びセンサ部１０６の詳しい回路図を図２に示す。表示部１０１はソース信号線（Ｓ１〜Ｓｘ）、電源供給線（Ｖ１〜Ｖｘ）、ゲート信号線（Ｇ１〜Ｇｙ）が設けられている。なお本実施の形態では、センサ部１０６と表示部１０１とを同じ基板上に設けているが、本発明はこれに限定されない。センサ部と表示部を異なる基板上に設け、ＦＰＣ等で接続する構成にしても良い。
【００３３】表示部１０１は複数の表示用画素１０５を有している。表示用画素１０５は、ソース信号線（Ｓ１〜Ｓｘ）のいずれか１つと、電源供給線（Ｖ１〜Ｖｘ）のいずれか１つと、ゲート信号線（Ｇ１〜Ｇｙ）のいずれか１つとを有している。そして表示用画素１０５は、Ｒの表示を行う表示用画素と、Ｇの表示を行う表示用画素と、Ｂの表示を行う表示用画素とがある。
【００３４】Ｒの表示を行う表示用画素のうち、任意に選ばれた表示用画素（ｐ、ｑ）はソース信号線Ｓｐ（ｐは１〜ｘの任意の数）、電源供給線Ｖｐ、ゲート信号線Ｇｑ（ｑは１〜ｙの任意の数）を含んでいる。そしてＲセンサ用画素１０４ａは、Ｒの表示を行う表示用画素（ｐ、ｑ）と同じく、ソース信号線Ｓｐ、電源供給線Ｖｐ、ゲート信号線Ｇｑを含んでいる。
【００３５】また図示しないが、Ｇセンサ用画素１０４ｂも同様に、任意に選ばれたＧの表示を行う表示用画素が含んでいるのと同じソース信号線、電源供給線、ゲート信号線を含んでいる。そして同じく図示しないが、Ｂセンサ用画素１０４ｃも同様に、任意に選ばれたＢの表示を行う表示用画素が含んでいるのと同じソース信号線、電源供給線、ゲート信号線を含んでいる。
【００３６】図３にセンサ用画素１０４ａ〜１０４ｃの詳しい構成を示す。点線で囲まれた領域がセンサ用画素１０４である。センサ用画素１０４はソース信号線Ｓ（Ｓ１〜Ｓｘのいずれか１つ）、電源供給線Ｖ（Ｖ１〜Ｖｘのいずれか１つ）、ゲート信号線Ｇ（Ｇ１〜Ｇｙのいずれか１つ）を含んでいる。
【００３７】またセンサ用画素１０４（１０４ａ〜ｃ）はスイッチング用ＴＦＴ１３０、電流制御用ＴＦＴ１３１、センサ用発光素子１３２を有している。また図３ではコンデンサ１３３を有しているが、コンデンサ１３３を設けない構成にしても良い。」
　
（３）「【００７９】本実施の形態では、デジタルビデオ信号が「０」の情報を有していた場合、電流制御用ＴＦＴはオフの状態になる。よって発光素子の画素電極は対向電極の電位に保たれたままである。その結果、「０」の情報を有するデジタルビデオ信号が入力された画素において、発光素子は発光しない。
【００８０】逆に本実施の形態では、「１」の情報を有していた場合、電流制御用ＴＦＴはオンの状態になる。よって電源電位が発光素子の画素電極に与えられる。その結果、「１」の情報を有するデジタルビデオ信号が入力された画素が有する発光素子は発光する。」
　
（４）「【００８８】次にセンサ部１０６において、受光ダイオード１３６がセンサ用発光素子１３２の輝度を検知する仕組みについて説明する。
【００８９】センサ用画素１０４が有するリセット用ＴＦＴ１３４とバッファ用ＴＦＴ１３５は、どちらか一方がｎチャネル型ＴＦＴで、残りの一方がｐチャネル型ＴＦＴであることが望ましい。
【００９０】まずリセット信号線ＲＬに入力されたリセット信号によって、リセット用ＴＦＴ１３４がオンの状態になる。よってセンサ用電源線ＶＢの基準電位がバッファ用ＴＦＴ１３５のゲート電極に与えられる。そしてバッファ用ＴＦＴ１３５のソース領域はセンサ出力配線ＦＬを介して定電流電源に接続されており、バッファ用ＴＦＴ１３５のソース領域とゲート電極の電位差ＶGSは常に一定である。よってバッファ用ＴＦＴ１３５のソース領域は、基準電位からＶGSを差し引いた電位に保たれる。なお本明細書では、リセット用ＴＦＴ１３４がオンの状態である期間をリセット期間と呼ぶ。
【００９１】次にリセット信号線ＲＬに入力されたリセット信号の電位が変化して、リセット用ＴＦＴ１３４がオフの状態になる。よってセンサ用電源線ＶＢの基準電位は、バッファ用ＴＦＴ１３５のゲート電極に与えられない。なお、リセット用ＴＦＴ１３４がオフの状態にある期間を、本明細書ではサンプル期間と呼ぶ。
【００９２】デジタル方式で駆動する発光装置の場合、サンプル期間はアドレス期間Ｔａよりも長く、なおかつ発光素子１３２が発光しているサステイン期間Ｔｓと重なっている。
【００９３】受光ダイオード１３６にセンサ用発光素子１３２の光が照射されることで、受光ダイオード１３６に電流が流れる。そのため、リセット期間において一定だったバッファ用ＴＦＴ１３５のゲート電極の電位は、サンプル期間において変化し、その電位の変化の大きさは受光ダイオード１３６に流れる電流の大きさによって変わる。
【００９４】受光ダイオード１３６に流れる電流は、受光ダイオード１３６に照射される光の強さに比例する。つまりセンサ用発光素子１３２の輝度が高いときと低いときとでは、輝度の高いときの方が、受光ダイオード１３６により大きな電流が流れることになる。よって、センサ用発光素子１３２の輝度が高いときの方が、輝度の低いときに比べて、バッファ用ＴＦＴ１３５のゲート電極の電位は大きく変化する。
【００９５】バッファ用ＴＦＴ１３５のソース領域とゲート電極の電位差ＶGSは常に一定であるので、バッファ用ＴＦＴ１３５のソース領域は、バッファ用ＴＦＴ１３５のゲート電極の電位からＶGSを差し引いた電位に保たれる。そのためバッファ用ＴＦＴ１３５のゲート電極の電位が変化すると、それに伴ってバッファ用ＴＦＴ１３５のソース領域の電位も変化する。
【００９６】バッファ用ＴＦＴ１３５のソース領域の電位はセンサ出力配線ＦＬに与えられ、センサ出力信号として補正回路に入力される。」
　
（５）「【００９７】図６に補正回路２０１のブロック図を示す。補正回路２０１は表示部１０１又はセンサ部１０６と同じ基板上に設けられていても良く、またＩＣチップ上に設けてＦＰＣ等によりセンサ部１０６と接続しても良い。
【００９８】補正回路２０１はＡ／Ｄ変換回路２０２、演算回路２０３、補正メモリ２０４、Ｄ／Ａ変換回路２０５を有している。なお、図６には補正メモリ２０４が演算回路２０３の一部である場合の構成を示したが、補正メモリ２０４が演算回路２０３と別個に設けられていても良い。
【００９９】センサ出力配線ＦＬからセンサ出力信号がＡ／Ｄ変換回路２０２に入力され、デジタルのセンサ出力信号に変換されて出力される。Ａ／Ｄ変換回路２０２から出力されたデジタルのセンサ出力信号は、演算回路２０３に入力される。
【０１００】補正メモリ２０４には、センサ用発光素子１３２が理想の輝度を有しているときに、演算回路２０３に入力されるデジタルのセンサ出力信号のデータ（補正基準データ）が記憶されている。
【０１０１】演算回路２０３は、実際に演算回路２０３に入力されたデジタルのセンサ出力信号と、補正メモリ２０４に記憶されている補正基準データとを比較する。そして比較した実際のセンサ出力信号と補正基準データとの差から、表示用発光素子１４２及びセンサ用発光素子１３２が理想の輝度を得るために必要な電源供給線Ｖの電位（電源電位）の高さを算出する。そして、演算回路２０３は、その電源電位の高さの情報を有するデジタルの補正信号をＤ／Ａ変換回路２０５に入力する。
【０１０２】Ｄ／Ａ変換回路２０５に入力されたデジタルの補正信号は、アナログに変換され、発光素子用電源２０６に入力される。発光素子用電源２０６は、入力されたアナログの補正信号によって定められた高さの電源電位を、電源供給線（Ｖ１〜Ｖｘ）に与える。発光素子の輝度が低下した場合には、それを補うように電源供給線の電源電位を調整し、輝度を向上させるように補正が働く。
【０１０３】なおＲＧＢに対応する３種類の発光素子を用いた発光装置の場合、補正回路２０１及び発光素子用電源２０６は補正したい色ごとに設ける必要がある。つまりＲＧＢそれぞれの色について補正を行う場合、補正回路２０１及び発光素子用電源２０６はそれぞれ３つづつ必要となる。
【０１０４】また、発光の色が白色、青色、青緑色等の単色である発光素子を用いた発光装置の場合、補正回路２０１及び発光素子用電源２０６は１つづつ設けても良いし、補正したい色ごとに設けても良い。有機化合物層は、有機化合物層に照射する光の波長によっても劣化の速度が異なる。そのため、白色発光の発光素子とカラーフィルターとを用いた発光装置の場合、補正したい色ごとに補正回路２０１及び発光素子用電源２０６を設けることで、より正確に各色に対応する発光素子の輝度を補正することができ、より鮮明で、なおかつ所望の色の画像を表示することができる。」
　
（６）「【０１０６】なお本実施の形態では、センサ部はＲＧＢそれぞれの色に対応したセンサ用画素を１つづつ有していたが、本発明はこれに限定されない。各色に対応したセンサ用画素は複数存在していても良い。」
　
（ア）上記摘記事項（２）における「またセンサ用画素１０４（１０４ａ〜ｃ）はスイッチング用ＴＦＴ１３０、電流制御用ＴＦＴ１３１、センサ用発光素子１３２を有している。」、及び、上記摘記事項（６）における「各色に対応したセンサ用画素は複数存在していても良い。」等との記載からするに、各色に対応したセンサ用発光素子を水平方向又は垂直方向に複数設けた構成が実質的に示されている。してみると、垂直方向に各色に対応したセンサ用発光素子を複数設けた際には、複数のゲート信号線に対応してセンサ用発光素子が複数設けられた構成となることは、技術的に明白である。
　よって上記摘記事項（１）及び（２）、（６）並びに図２から、複数のゲート信号線と、複数のソース信号線と、前記複数のゲート信号線と前記複数のソース信号線との交差部に対応して設けられた複数のセンサ用発光素子とを備えた発光装置を、読み取ることができる。
　
（イ）上記摘記事項（３）における「【００８０】逆に本実施の形態では、「１」の情報を有していた場合、電流制御用ＴＦＴはオンの状態になる。よって電源電位が発光素子の画素電極に与えられる。その結果、「１」の情報を有するデジタルビデオ信号が入力された画素が有する発光素子は発光する。」等との記載及び当該技術分野の技術常識から、複数のセンサ用発光素子及び複数の表示用発光素子が供給される電流の量に応じて動作することは、技術的に明白である。
　よって、上記摘記事項（２）及び（３）から、複数のセンサ用発光素子に供給される電流の量に応じて動作する発光装置を、読み取ることができる。
　
（ウ）上記摘記事項（４）から、複数のセンサ用発光素子の輝度を検知し、輝度の検知結果を出力するための回路を、読み取ることができる。
　
（エ）上記摘記事項（４）及び（５）から、輝度の検知結果を出力するための回路から出力された輝度検知結果をデジタルのセンサ出力信号に変換するＡ／Ｄ変換回路を、読み取ることができる。
　
（オ）上記摘記事項（５）から、デジタルのセンサ出力信号に基づいて補正されたデジタル補正信号を出力する演算回路を、読み取ることができる。
　
（カ）上記摘記事項（５）から、デジタル補正信号をアナログの補正信号に変換するＤ／Ａ変換回路を、読み取ることができる。
　
（キ）上記摘記事項（３）、及び（５）の「【０１０２】・・・入力されたアナログの補正信号によって定められた高さの電源電位を、電源供給線（Ｖ１〜Ｖｘ）に与える。発光素子の輝度が低下した場合には、それを補うように電源供給線の電源電位を調整し、輝度を向上させるように補正が働く。」との記載から、アナログの補正信号によって電源電位を調整することにより、複数のセンサ用発光素子に供給される電流の量が調整されていることは、技術的に明白である。
　よって、上記摘記事項（３）及び（５）から、アナログの補正信号によって供給する電流の量を調整する発光素子用電源を、読み取ることができる。
　
　したがって、上記摘記事項（１）ないし（６）及び図面の記載からみて、引用例１には、以下の発明が記載されているものと認められる。　
「複数のゲート信号線と、複数のソース信号線と、前記複数のゲート信号線と前記複数のソース信号線との交差部に対応して設けられた複数のセンサ用発光素子とを備え、前記複数のセンサ用発光素子に供給される電流の量に応じて動作する発光装置であって、
　前記複数のセンサ用発光素子の輝度を検知し、輝度の検知結果を出力するための回路と、
　前記輝度の検知結果を出力するための回路から出力された輝度の検知結果をデジタルのセンサ出力信号に変換するＡ／Ｄ変換回路と、
　前記デジタルのセンサ出力信号に基づいて補正されたデジタル補正信号を出力する演算回路と、
　前記デジタル補正信号をアナログの補正信号に変換するＤ／Ａ変換回路と、
　アナログの補正信号によって供給する電流の量を調整する発光素子用電源と、を備えた発光装置。」（以下、「引用発明２」という。）
　
５　対比
 　本願発明と引用発明２とを対比する。
（１）引用発明２の「複数のゲート信号線」は、本願発明の「複数の走査線」に相当し、以下同様に、「複数のソース信号線」は「複数の信号線」に、「複数のセンサ用発光素子」は「複数の電気光学素子」に、「供給される電流の量」は「供給する駆動電流量」に、「発光装置」は「電気光学装置」に相当するから、引用発明２の「複数のゲート信号線と、複数のソース信号線と、前記複数のゲート信号線と前記複数のソース信号線との交差部に対応して設けられた複数のセンサ用発光素子とを備え、前記複数のセンサ用発光素子に供給される電流の量に応じて動作する発光装置であって」は、本願発明の「複数の走査線と、複数の信号線と、前記複数の走査線と前記複数の信号線との交差部に対応して配設された複数の電気光学素子とを備え、前記複数の電気光学素子に供給する駆動電流量に応じて動作する電気光学装置であって」に相当する。
（２）引用発明２の「前記複数のセンサ用発光素子の輝度を検知し」は、本願発明の「前記複数の電気光学素子の少なくとも１つの電気光学素子の輝度を検出し」に相当し、同様に、「輝度の検知結果を出力するための回路」は「輝度検出結果を出力する輝度検出部」に相当するから、引用発明２の「前記複数のセンサ用発光素子の輝度を検知し、輝度の検知結果を出力するための回路」は、本願発明の「前記複数の電気光学素子の少なくとも１つの電気光学素子の輝度を検出し、輝度検出結果を出力する輝度検出部」に相当する。
（３）引用発明２の「デジタルのセンサ出力信号」は、本願発明の「第１のデジタル信号」に相当し、同様に、「Ａ／Ｄ変換回路」は「アナログーデジタル変換器」に相当するから、引用発明２の「前記輝度の検知結果を出力するための回路から出力された輝度の検知結果をデジタルのセンサ出力信号に変換するＡ／Ｄ変換回路」は、本願発明の「前記輝度検出部で得られた前記輝度検出結果を第１のデジタル信号に変換するアナログーデジタル変換器」に相当する。
（４）引用発明２の「補正されたデジタル補正信号」は、本願発明の「調整された第２のデジタル信号」に相当し、同様に、「演算回路」は「制御回路」に相当するから、引用発明２の「前記デジタルのセンサ出力信号に基づいて補正されたデジタル補正信号を出力する演算回路」は、本願発明の「前記第１のデジタル信号に基づいて調整された第２のデジタル信号を出力する制御回路」に相当する。
（５）引用発明２の「アナログの補正信号」は、本願発明の「アナログ信号」に相当し、同様に、「Ｄ／Ａ変換回路」は「デジタルーアナログ変換器」に相当するから、引用発明２の「前記デジタル補正信号をアナログの補正信号に変換するＤ／Ａ変換回路」は、本願発明の「前記第２のデジタル信号をアナログ信号に変換するデジタルーアナログ変換器」に相当する。
（６）引用発明２の「発光素子用電源」は、本願発明の「駆動電流量調整部」に相当するから、引用発明２の「アナログの補正信号によって供給する電流の量を調整する発光素子用電源」は、本願発明の「前記アナログ信号に基づき前記駆動電流量を調整する駆動電流量調整部」に相当する。
　
　したがって、本願発明と引用発明２の両者は、
「複数の走査線と、複数の信号線と、前記複数の走査線と前記複数の信号線との交差部に対応して配設された複数の電気光学素子とを備え、前記複数の電気光学素子に供給する駆動電流量に応じて動作する電気光学装置であって、
　前記複数の電気光学素子の少なくとも１つの電気光学素子の輝度を検出し、輝度検出結果を出力する輝度検出部と、
　前記輝度検出部で得られた前記輝度検出結果を第１のデジタル信号に変換するアナログーデジタル変換器と、
　前記第１のデジタル信号に基づいて調整された第２のデジタル信号を出力する制御回路と、
　前記第２のデジタル信号をアナログ信号に変換するデジタルーアナログ変換器と、
　前記アナログ信号に基づき前記駆動電流量を調整する駆動電流量調整部と、
　を備えることを特徴とする電気光学装置。」
である点で一致し、相違する点はない。
　
５　小括
　してみると、本願発明は引用発明２と同一であり、本願発明は引用例１に記載された発明であるので、特許法第２９条第１項第３号に該当し、特許を受けることができない。
　
６　むすび
　以上のとおりであるから、本件出願の請求項１に係る発明（本願発明）は特許法第２９条第１項第３号に該当し特許を受けることができないものであり、その余の請求項２ないし１３に係る発明についての判断を示すまでもなく、本件出願は、拒絶をすべきものである。
　よって、結論のとおり審決する。